(57)【要約】    【課題】  磁気ディスクが変位したときに、磁気ディスクの外周縁とランプの対向面との接触を防ぐ。    【解決手段】  ランプは、磁気ディスク１１の外周側面１３の近辺に配置される。ランプは、滑走面１０１ａ、１０１ｂと磁気ディスクの記録面１２ａ、１２ｂに対向する対向面１１３ａ、１１３ｂとを含む退避部を有する。対向面には、溝１６１ａ、１６１ｂが形成されて逃げ空間１６０ａ、１６０ｂを構成している。磁気ディスク装置に対する衝撃などにより、対向面に向かって前記磁気ディスクの外周側面が点線のように変位したとき、逃げ空間が存在することにより外周縁１４は対向面に接触しない。この構造により、ランプから発生する粉塵の量を低減することができる。【選択図】      図４
2006323939.tif 000002
【特許請求の範囲】
【請求項１】
記録面と外周側面を備える磁気ディスクと、
ヘッド／スライダとリフト・タブとを含むヘッド・ジンバル・アセンブリと、
前記リフト・タブがスライドする滑走面と前記記録面に対向し前記記録面の外周縁に対する逃げ空間が形成された対向面とを含むランプと
を有するロード／アンロード機構。
【請求項２】
前記外周側面が前記対向面に向かって変位したとき前記外周縁より先に前記記録面が前記対向面に接触する請求項１記載のロード／アンロード機構。
【請求項３】
前記外周側面の垂直投影を含む前記対向面上の所定範囲の領域が、該領域より前記記録面側にある前記対向面より窪んでいる請求項１記載のロード／アンロード機構。
【請求項４】
前記対向面の一部が前記記録面側から前記外周側面側に向かって傾斜している請求項１記載のロード／アンロード機構。
【請求項５】
記録面と外周側面を備える磁気ディスクと、
ヘッド／スライダを搭載しリフト・タブが形成されたヘッド・ジンバル・アセンブリと、
前記ヘッド・ジンバル・アセンブリを回動可能に支持するアクチュエータ・アセンブリと、
前記外周側面の周辺に配置され前記リフト・タブがスライドする滑走面と前記記録面に対向し前記記録面の外周縁に対する逃げ空間が形成された対向面とを含むランプと
を有する磁気ディスク装置。
【請求項６】
前記逃げ空間を前記外周側面の垂直投影に沿った所定幅の円弧状に形成した請求項５記載の磁気ディスク装置。
【請求項７】
前記外周側面の垂直投影を含む前記対向面上の所定範囲の領域が、該領域より前記記録面側にある前記対向面より窪んでいる請求項５記載の磁気ディスク装置。
【請求項８】
前記外周側面の垂直投影を含む前記対向面上の所定範囲の領域に溝を形成した請求項５記載の磁気ディスク装置。
【請求項９】
前記対向面の一部に前記記録面側から前記外周側面側に向かって傾斜した傾斜面を形成した請求項５記載の磁気ディスク装置。
【請求項１０】
前記外周側面が前記対向面に向かって変位したとき前記外周縁より先に前記記録面が前記対向面に接触する請求項５記載の磁気ディスク装置。
【請求項１１】
第１の記録面と第２の記録面と外周側面とを備える磁気ディスクと、
第１のヘッド／スライダを搭載し第１のリフト・タブが形成された第１のヘッド・ジンバル・アセンブリと、
第２のヘッド／スライダを搭載し第２のリフト・タブが形成された第２のヘッド・ジンバル・アセンブリと、
前記第１のヘッド・ジンバル・アセンブリと前記第２のヘッド・ジンバル・アセンブリとを回動可能に支持するアクチュエータ・アセンブリと、
前記外周側面の周辺に配置され、前記第１のリフト・タブがスライドする第１の滑走面と前記第１の記録面に対向する第１の対向面と前記第２のリフト・タブがスライドする第２の滑走面と前記第２の記録面に対向する第２の対向面とを備え、前記外周側面側にある前記第１の対向面と前記第２の対向面の間隔に前記記録面側にある前記第１の対向面と前記第２の対向面の間隔より広い領域を含むランプと
を有する磁気ディスク装置。
【請求項１２】
前記間隔の広い領域を前記外周側面の垂直投影に沿った所定幅の円弧状に形成した請求項１１記載の磁気ディスク装置。
【請求項１３】
前記外周側面の垂直投影を含む前記第１の対向面上の所定範囲の領域及び前記外周側面の垂直投影を含む前記第２の対向面上の所定範囲の領域が、該各領域より前記各記録面側にある前記各対向面より窪んでいる請求項１１記載の磁気ディスク装置。
【請求項１４】
前記外周側面の垂直投影が形成される前記第１の対向面上の所定範囲の領域及び前記外周側面の垂直投影が形成される前記第２の対向面上の所定範囲の領域に溝を形成した請求項１１記載の磁気ディスク装置。
【請求項１５】
前記第１の対向面の一部と前記第２の対向面の一部に、前記第１の対向面と前記第２の対向面の間隔が前記記録面側から前記外周側面側に向かって広がるように傾斜した傾斜面を形成した請求項１１記載の磁気ディスク装置。
【請求項１６】
記録面と外周側面とを備える磁気ディスクと、
ヘッド／スライダを搭載しリフト・タブが形成されたヘッド・ジンバル・アセンブリと、
前記ヘッド・ジンバル・アセンブリを回動可能に支持するアクチュエータ・アセンブリと、
前記記録面に対向する対向面と前記リフト・タブがスライドする滑走面とを備えるランプとを有し、
前記対向面に対向する前記記録面の一部が前記外周側面に向かって厚さが薄くなるように傾斜している磁気ディスク装置。
【請求項１７】
前記傾斜を前記記録面のロード／アンロード領域と非記録領域の境界から前記外周側面に向かって形成した請求項１６記載の磁気ディスク装置。
【請求項１８】
記録面を備える磁気ディスクの外周側面の近辺に配置するランプであって、
滑走面と、
前記記録面の外周縁に対する逃げ空間が形成され前記記録面に対向する対向面と、
前記滑走面と前記対向面を支持する支持部と
を有するランプ。
【請求項１９】
前記逃げ空間を前記外周側面に沿った所定幅の円弧状に形成された窪みにより構成した請求項１８記載のランプ。
【請求項２０】
前記対向面の一部に前記記録面側から前記外周側面側に向かって傾斜する傾斜面を形成した請求項１８記載のランプ。
【発明の詳細な説明】
【技術分野】
【０００１】
本発明は、粉塵が発生しにくい磁気ディスク装置のロード／アンロード機構に関する。
【背景技術】
【０００２】
磁気ディスク装置のヘッド／スライダは、磁気ディスクの回転により発生する空気流から空気軸受面が浮力を受けて磁気ディスクの表面上を浮上している。ヘッド／スイラダを回転可能に支持するロータリー式アクチュエータは、ヘッド／スライダを磁気ディスクのほぼ半径方向に移動させて所定のトラックに位置づける。磁気ディスク装置が停止している間、あるいは記録または再生動作を中断している間にヘッド／スライダを退避させる場所を提供する手段として、多くの磁気ディスク装置はロード／アンロード機構を採用している。
【０００３】
ロード／アンロード機構は、主としてランプとヘッド・ジンバル・アセンブリ（以下、ＨＧＡという。）と磁気ディスクとで構成される。ランプは、ＨＧＡの先端に形成されたリフト・タブがスライドする滑走面の一部が、磁気ディスクの外周側面より中に入り込んで記録面を覆うように構成されている。ノート式パーソナル・コンピュータや音楽再生装置などの可搬式機器に使用される磁気ディスク装置は、近年一層の小型化および薄型化が図られており、これに伴って磁気ディスクの記録面とランプとの隙間も一層小さくなってきている。
【０００４】
磁気ディスク装置に外部から衝撃や振動が加えられると、磁気ディスクはスピンドル軸に対する固定部のがたつきや磁気ディスク自体のたわみなどによりランプに衝突する場合がある。また、外部からの原因だけでなく、磁気ディスクの回転により内部に発生した気流の影響で磁気ディスクにフラッタリングといううねりが発生して、ランプに接触することもある。
【０００５】
ランプと磁気ディスクが衝突したり接触したりすると、磁気ディスクの表面に傷がついたりランプが損傷したりして粉塵が発生するのでその対策を講ずる必要がある。特許文献１は、外部から衝撃が加えられたときに磁気ディスクとランプとの衝突を防止するランプ構造を開示する。特許文献１の図１には、ランプとの接触により磁気ディスクのロード・アンロード領域１０Ｂに傷や突起物が発生することを防ぐために、対向面部２０Ｂと２０Ｃとの間に段差が形成されている。この構造は、外部から衝撃が加えられたときに、磁気ディスクの最外周部と対向面部２０Ｃとを衝突させることで、磁気ディスクのロード・アンロード領域をランプに衝突させないようにしている。
【０００６】
特許文献２の図６には、ランプ６０のベース部７０の内、磁気ディスク１６ａ、１６ｂの外周縁部と隣接対向する面に、面取りした突起部７２を設けている。このようなランプの構造によれば、ＨＤＤに衝撃が作用して磁気ディスクが振動した場合であっても、磁気ディスクとランプ６０との接触箇所を磁気ディスクの外周縁部と突出部７２とに限定し、磁気ディスクの記録面およびランプ面の保護をすることができる旨記載されている。
【特許文献１】特開２００２−２７９７４４号公報
【特許文献２】特開２００１−１４８２０号公報
【発明の開示】
【発明が解決しようとする課題】
【０００７】
上記先行文献記載の発明では、ランプと磁気ディスクとの衝突を防止する目的が、磁気ディスク側を保護する点にあり、そのために磁気ディスクの外周縁をランプに接触させる構造になっている。使用を開始したあとの磁気ディスク装置の内部に新たに発生する粉塵の主要発生源の１つはランプである。本発明の発明者達は、さらに、ランプ構造における粉塵の発生部位を特定するために磁気ディスクに対向する対向面を顕微鏡で観察すると、対向面の奥の方に大きな切削痕が生じていることを発見した。またその磁気ディスク装置の磁気ディスクの外周縁近辺にはランプに接触した痕跡が認められた。
【０００８】
ランプの対向面に形成された切削痕の位置は磁気ディスクがランプに衝突したときに、丁度磁気ディスクの外周縁が対向面に当たる部分である。磁気ディスク装置が動作している間に外部から振動が加えられて、回転している磁気ディスクがランプに衝突するときは、磁気ディスクの外周縁が刃の役割をして強力にランプの対向面を削り取り粉塵を発生させているものと考えられる。可搬式機器に使用される磁気ディスク装置では、特に回転中の磁気ディスクがランプに衝突する危険性が高い。
【０００９】
上述の先行技術では、磁気ディスクの記録面とランプの対向面との接触を防止するといった課題に着目しているが、いずれも磁気ディスクの外周縁をランプに接触させて磁気ディスク側の保護を図るものである。したがって、これらの方法では磁気ディスクとランプとの接触または衝突による粉塵の発生、特に回転中の衝突による粉塵の発生を十分に抑制することができない。
【００１０】
そこで、本発明の目的は、磁気ディスクとランプの接触により発生する粉塵を抑制できるロード／アンロード機構を提供することにある。さらに本発明の目的は、磁気ディスクの外周縁とランプとの接触を回避する構造のロード／アンロード機構を提供することにある。さらに本発明の目的は、そのようなロード／アンロード機構を実現するランプを提供することにある。本発明の目的は、そのようなロード・アンロード機構を採用した磁気ディスク装置を提供することにある。
【課題を解決するための手段】
【００１１】
本発明の第１の態様は、記録面と外周側面を備える磁気ディスクと、ヘッド／スライダとリフト・タブとを含むヘッド・ジンバル・アセンブリと、前記リフト・タブがスライドする滑走面と前記記録面に対向し前記記録面の外周縁に対する逃げ空間が形成された対向面とを含むランプとを有するロード／アンロード機構を提供する。
【００１２】
記録面の外周縁に対する逃げ空間は、外周側面が対向面に向かって変位したときに外周縁と記録面の接触を防ぐため、外周縁が対向面を切削することがない。特に、磁気ディスクが回転している間に外周側面が変位して対向面に接触する可能性のある磁気ディスク装置において有効である。外周側面の変位が大きい場合に、外周縁より先に記録面が対向面に接触するようにしておくと、記録面は外周縁に比べて対向面に対する切削作用が小さいので粉塵の発生を抑制する上で有効である。
【００１３】
逃げ空間は、外周側面の垂直投影を含む対向面上の所定範囲の領域に、当該領域より前記記録面側にある対向面より窪んだ領域を形成して構成することができる。所定範囲の領域は、外周側面が対向面に向かって変位したときに、外周側面や外周縁が対向面に接触しない大きさとして選定する。また、逃げ空間は、対向面に溝や傾斜面を形成したりして構成することができる。窪みや溝は、外周側面に沿った所定幅の円弧状に形成すると、窪みや溝の幅を小さくすることができるので、ランプの強度低下を防止することができる。
【００１４】
本発明の第２の態様は、記録面と外周側面を備える磁気ディスクと、ヘッド／スライダを搭載しリフト・タブが形成されたヘッド・ジンバル・アセンブリと、前記ヘッド・ジンバル・アセンブリを回動可能に支持するアクチュエータ・アセンブリと、前記外周側面の周辺に配置され前記リフト・タブがスライドする滑走面と前記記録面に対向し前記記録面の外周縁に対する逃げ空間が形成された対向面とを含むランプとを有する磁気ディスク装置を提供する。
【００１５】
本発明の第３の態様は、第１の記録面と第２の記録面と外周側面とを備える磁気ディスクと、第１のヘッド／スライダを搭載し第１のリフト・タブが形成された第１のヘッド・ジンバル・アセンブリと、第２のヘッド／スライダを搭載し第２のリフト・タブが形成された第２のヘッド・ジンバル・アセンブリと、前記第１のヘッド・ジンバル・アセンブリと前記第２のヘッド・ジンバル・アセンブリとを回動可能に支持するアクチュエータ・アセンブリと、前記外周側面の周辺に配置され、前記第１のリフト・タブがスライドする第１の滑走面と前記第１の記録面に対向する第１の対向面と前記第２のリフト・タブがスライドする第２の滑走面と前記第２の記録面に対向する第２の対向面とを備え、前記外周側面側にある前記第１の対向面と前記第２の対向面の間隔に前記記録面側にある前記第１の対向面と前記第２の対向面の間隔より広い領域を含むランプとを有する磁気ディスク装置を提供する。
【００１６】
本発明の第４の態様は、記録面と外周側面とを備える磁気ディスクと、ヘッド／スライダを搭載しリフト・タブが形成されたヘッド・ジンバル・アセンブリと、前記ヘッド・ジンバル・アセンブリを回動可能に支持するアクチュエータ・アセンブリと、前記記録面に対向する対向面と前記リフト・タブがスライドする滑走面とを備えるランプとを有し、前記対向面に対向する前記記録面の一部が前記外周側面に向かって厚さが薄くなるように傾斜している磁気ディスク装置を提供する。
【００１７】
本発明の第５の態様は、記録面を備える磁気ディスクの外周側面の近辺に配置するランプであって、滑走面と、前記記録面の外周縁に対する逃げ空間が形成され前記記録面に対向する対向面と、前記滑走面と前記対向面を支持する支持部とを有するランプを提供する。
【発明の効果】
【００１８】
本発明により、磁気ディスクとランプの接触により発生する粉塵を抑制できるロード／アンロード機構を提供することができた。さらに本発明により、磁気ディスクの外周縁とランプとの接触を回避する構造のロード／アンロード機構を提供することができた。さらに本発明により、そのようなロード／アンロード機構を実現するランプを提供することができた。本発明により、そのようなロード・アンロード機構を採用した磁気ディスク装置を提供することができた。
【発明を実施するための最良の形態】
【００１９】
図１は、本発明の実施の形態にかかる磁気ディスク装置１０の平面図である。磁気ディスク１１は、スピンドル軸１５を中心に回転できるように支持されている。スピンドル軸１５は、ベース２７に取り付けられたスピンドル・モータにより回転する。磁気ディスク１１は、上下方向に所定の間隔を空けて２枚配置され、両者はスピンドル軸１５の廻りを一体に回転する。各磁気ディスク１１はそれぞれ表面と裏面が記録面になっており同一の構成になっている。
【００２０】
ヘッド支持機構１７は、ＨＧＡ１９とアクチュエータ・アセンブリ２１で構成されている。ＨＧＡ１９は、フレキシャやロード・ビームなどで構成されるサスペンション・アセンブリとフレキシャに取り付けられるヘッド／スライダで構成される。ＨＧＡ１９の先端には、ランプ１００の滑走面をスライドするリフト・タブ２３が形成されている。ＨＧＡ１９は、２枚の磁気ディスク１１の４つの記録面に対応するように４個所定の間隔を空けて積層されてアクチュエータ・アセンブリ２１に固定される。
【００２１】
アクチュエータ・アセンブリ２１はボイス・コイル（図示せず。）を保持してロータリー式アクチュエータ機構を採用しており、ボイス・コイルとボイス・コイル・マグネット２９などで構成するボイス・コイル・モータによりピボット軸２５を中心に矢印Ａおよび矢印Ｂの方向に回動動作をする。磁気ディスク１１の外周側面１３の近辺には、ロード／アンロード機構を構成するランプ１００が配置されて、ベース２７の底面に固定されている。
【００２２】
このように構成された磁気ディスク装置１０におけるロード／アンロード機構の動作について説明する。ロード／アンロード機構は、主として磁気ディスク１１とＨＧＡ１９とランプ１００で構成される。磁気ディスク１１が回転している場合は、ヘッド／スライダが空気流から浮力を受けて磁気ディスク上に浮上しているが、回転を停止するとロード・ビームの押し付け荷重でヘッド／スライダは磁気ディスク１１の記録面に押し付けられる。磁気ディスク１１の記録面は鏡面状に形成され、さらに表面には潤滑剤が塗布されているので、ヘッド／スライダは磁気ディスクの記録面に付着してしまう。この状態から磁気ディスクを再起動すると、スピンドル・モータに大きな負荷がかかって再起動ができなかったり、スティクションという現象が発生して磁気ディスクの記録面に傷を付けたりしてしまう。
【００２３】
ロード／アンロード方式の磁気ディスク装置では、磁気ディスク１１の回転を停止する前にヘッド支持機構１７がヘッド／スライダを矢印Ａの方向に回動させると、リフト・タブ２３がランプ１００の滑走面をスライドして、ヘッド／スライダがランプ１００に退避する。この動作をヘッド／スライダをアンロードさせるという。つぎにリード／ライト動作をするときは、磁気ディスク１１を回転させたあとにヘッド支持機構１７はヘッド／スライダを矢印Ｂの方向に回動させる。この動作をヘッド／スライダをロードするという。ロードまたはアンロードは、磁気ディスクの回転を維持したままで、リード／ライト動作だけを中断するときなどにも行われる。
【００２４】
ロードおよびアンロードをアクチュエータ・アセンブリ２１の回動動作で円滑に行うためにランプ１００の滑走面の一部は、磁気ディスク１１の記録面に被さるように延びている。したがって磁気ディスク１１は、外周側面１３の近辺にある記録面がランプ１００に形成された空間の中を通過するようにして回転することになる。つぎに、図２〜図４を参照してランプ１００の構造を説明する。
【００２５】
図２はランプ１００の概略の斜視図で、図３（Ａ）はランプ１００の側面図で、図３（Ｂ）はランプ１００の先端部の斜視図で、図４（Ａ）は、図３（Ｂ）のＸ−Ｘ断面図で磁気ディスク１１の一部も示されている。図４（Ｂ）はランプ１００の先端部の平面図で、磁気ディスクの外周側面１３の一部も示されている。ランプ１００の材料は、ポリアセタール（ポリオキシメチレン）が一般に使用される。この材料は、デルリン(Du Pont社)、ジュラコン（ポリプラスチック株式会社）、テナック（旭化成ケミカルズ株式会社）などの商品名で入手することができる。
【００２６】
ランプ１００は、２枚の磁気ディスク１１に対応した４つのヘッド／スライダを退避させるために、支持部１５０で２つの退避部１３０、１４０が支持されている。ランプ１００は、全体が射出成型や押し出し成型で一体成型されている。支持部１５０には、２つの取り付け穴１５３、１５５が形成されており、この取り付け穴を利用してネジでベース２７に取り付けられる。退避部１３０は上側の磁気ディスクに対応し退避部１４０は下側の磁気ディスクに対応して、それぞれ２つのヘッド／スライダを退避させるようになっており、その構造は同じなので退避部１３０を例にして説明する。
【００２７】
退避部１３０は、リフト・タブ２３がスライドする滑走面１０１ａ、１０１ｂ、１０３ａ、１０３ｂ、１０５ａ、１０５ｂ、１０７ａ、１０７ｂ、１０９ａ、１０９ｂ、１１１ａ、１１１ｂを備えている。滑走面１０１ａ、１０１ｂはそれぞれ、フロント・エッジ１１５ａ、１１５ｂを有している。滑走面１０１ａ、１０１ｂの反対側には、磁気ディスク１１の記録面１２ａ、１２ｂに対向する対向面１１３ａ、１１３ｂが形成されている。対向面１１３ａと対向面１１３ｂの間隔はほぼ１ｍｍ程度で、各対向面と磁気ディスク１１の各記録面との間隔は、およそ０．１８５ｍｍ程度である。滑走面１０１ａ〜１１１ａと滑走面１０１ｂ〜１１１ｂとは磁気ディスク１１の中心平面に対して面対称になっているので、以下滑走面１０１ａ〜１１１ａを例にして構造を説明する。フロント・エッジ１１５ａはアンロード時にリフト・タブ２３が最初に接触する滑走面１０１ａの縁である。滑走面１０１ａは、ベース２７の底面に対して傾斜している。滑走面１０７ａは、ヘッド／スライダが退避しているときにリフト・タブが停止する位置であるホーム・ポジジョンを提供する領域で、ベース２７の底面に平行な面である。ホーム・ポジションは、アンロード時にアクチュエータ・アセンブリ２１がアウター・クラッシュ・ストップ（図示せず。）に衝突してリフト・タブ２３が停止する位置である。
【００２８】
滑走面１０１ａ〜１０５ａは、ロードおよびアンロード時にリフト・タブ２３がスライドする面である。滑走面１０９ａ、１１１ａは、磁気ディスク１１とランプ１００をベースに固定した後にヘッド支持機構１７をベース２７に取り付けたり、ベース２７から取り外したりするときにリフト・タブ２３をスライドさせる面である。プレート１１７、１１８は、ヘッド／スライダがホーム・ポジションに退避している間に外部から衝撃が加えられたときに、サスペンション・アセンブリがジャンプして滑走面１０７ａを損傷することを抑制する働きをする。プレート１１９は、ヘッド／スライダがホーム・ポジションに退避している間に外部から衝撃が加えられたときに、ヘッド／スライダが飛び跳ねて相互に衝突し損傷するのを防止する働きをする。
【００２９】
対向面１１３ａ、１１３ｂと側壁面１５１で囲まれたディスク空間１２１には磁気ディスク１１の外周側面１３の近辺にある記録面１２ａ、１２ｂが入り込んで磁気ディスク１１が回転できるようになっている。側壁面１５１は、対向面１１３ａおよび対向面１１３ｂに隣接している面であり、さらに磁気ディスク１１の外周側面１３に対向する面である。対向面１１３ａ、１１３ｂには、側壁面１５１に沿って窪み１６１ａ、１６１ｂが形成されている。外周側面１３と側壁面１５１との間には僅かな間隔がある。図４（Ａ）（Ｂ）に示すように、対向面１１３a、１１３ｂには、磁気ディスク１１の外周側面１３の垂直投影を含むように所定の幅Ｗで窪み１６１ａ、１６１ｂが形成されている。幅Ｗは、磁気ディスク１１が図４（Ａ）に示すように傾斜するように変位したときに外周縁１４および外周側面１３が対向面１１３ａ、１１３ｂに接触しないようにするために必要な所定範囲として定める。窪み１６１ａ、１６１ｂは、外周側面１３の垂直投影に沿って所定の幅で円弧を描くように形成してもよい。
【００３０】
ここで、磁気ディスク１１の外周側面１３と記録面の外周縁との関係について図５を参照して説明する。図５（Ａ）では、磁気ディスク１１の断面において外周側面１３と記録面１２ａ、１２ｂが９０度で隣接している。ここで外周側面１３とは、記録面１２ａ、１２ｂまたは記録面を含む平面に垂直な磁気ディスクの外周側の平面をいう。このとき外周縁１４は、外周側面１３と記録面１２ａ、１２ｂの境界に当たる位置になる。図５（Ｂ）は、外周側面１３と記録面１２ａ、１２ｂとの境界に平面で面取りしたチャンファ１６が形成されている。このとき外周縁１４は、チャンファ１６と記録面１２ａ、１２ｂとの境界になる。
【００３１】
外周縁１４は、対向面１１３ａの全体が平面であるとしたときに、図４（Ａ）において点線で示すように外周側面１３が対向面１１３ａに向かって変位したときに、対向面１１３ａに最初に接触する磁気ディスク１１の外周側面１３近辺の領域ということもできる。外周縁１４は、２つの平面が交差する線として形成され、交差する角度が小さくなって対向面に接触する角度が急峻になるほど対向面を削り取る作用が増加する。図５（Ｃ）に示すように、磁気ディスク１１の外周部分が記録面１２ａから記録面１２ｂまで曲面で形成されているような場合は、外周側面１３は、磁気ディスク１１の最も外側の領域になり、外周縁１４は磁気ディスク１１が対向面１１３ａまたは対向面１１３ｂに向かって変位したときに最初にそれらの面に接触する領域になる。
【００３２】
磁気ディスク１１は、スピンドル軸１５の周りで固定されているので、いずれかの対向面に向かって変位するときは、ベース２７の底面に平行に変位する量よりも図４（Ａ）に点線で示すように傾斜する状態で変位する量の方が多い。窪み１６１ａ、１６１ｂは、変位した磁気ディスク１１の外周縁１４が、対向面１１３ａまたは１１３ｂに接触または衝突することを回避する逃げ空間１６０ａ、１６０ｂを構成する。
【００３３】
磁気ディスク１１がランプに当たる現象は、外周縁１４が対向面１１３ａまたは対向面１１３ｂに当たるときの衝撃力の相違で接触または衝撃と表現することができるが、本発明にかかる課題の発生およびそれに対する逃げ空間１６０ａ、１６０ｂの作用は接触と衝突の間で相違がないので以後、接触という用語を代表して使用する。逃げ空間１６０ａ、１６０ｂにより外周縁１４と対向面１１３ａ、１１３ｂとの接触が回避されることにより、対向面１１３ａ、１１３ｂが外周縁１４により削り取られることがなくなる。特に、回転中の磁気ディスク１１の外周縁１４は、対向面に接触してその表面を削り取る作用が強いが、逃げ空間１６０ａ、１６０ｂによりそのような状態を確実に回避することができる。
【００３４】
図４（Ａ）に示すように、磁気ディスク１１の変位が大きい場合は、磁気ディスク１１が点線で示す位置まで変位して外周縁１４が窪み１６１ａに接触する前に記録面１２ａが窪みの縁に相当する対向面１１３ａに接触するので、外周縁１４は対向面１１３ａに接触しない。言い方をかえると、窪み１６１ａの深さは、記録面１２ａが対向面１１３ａに接触したときに外周縁１４が対向面１１３ａまたは窪み１６１ａの面に接触しない程度まで必要である。記録面１２ａは平面であるため、外周縁１４に比べて接触時の対向面１１３ａに対する切削作用が弱いので、対向面１１３ａから発生する粉塵の量は少ない。また、記録面１２ａがディスク空間１２１の中に入り込んでいる領域は、データの記録には使用しないので対向面１１３ａに接触しても記録媒体としての性能に問題を生ずることはない。
【００３５】
記録面１２ａが対向面に接触してランプ１００から発生する粉塵の量をさらに少なくするためには、窪み１６１ａと対向面１１３ａとの境界領域は、円滑な曲面が連続するようにしておくことが望ましい。逃げ空間１６０ａ、１６０ｂは、記録面１２ａ、１２ｂと対向面１１３ａ、１１３ｂが接触する程度の大きな変位が磁気ディスク１１に発生したときに外周縁１４と対向面１１３ａ、１１３ｂとの接触を回避させるだけでなく、記録面１２ａ、１２ｂと対向面は接触しないが従来の全体が平坦な対向面では外周縁１４が接触する程度の変位でも、外周縁１４と対向面１１３ａ、１１３ｂの接触を回避させることができる。
【００３６】
図６は、退避面に逃げ空間を構成する他の実施例を説明する図である。図６（Ａ）は側面図で、図６（Ｂ）は平面図である。退避部１３０および磁気ディスク１１の構成は図４の場合と同様であるが、この実施例では、退避面１１３ａ、１１３ｂに溝１６３ａ、１６３ｂをそれぞれ形成して逃げ空間１６０ａ、１６０ｂを構成している。図６（Ｂ）に示すように、溝１６３ａ、１６３ｂは、対向面１１３ａ、１１３ｂに形成された外周側面１３の垂直投影に沿った幅Ｗの円弧で形成されている。このようにすると、図４で窪み１６１ａ、１６１ｂを長手方向に直線的に形成したような場合に比べて、所定の大きさの逃げ空間を形成するための幅Ｗを小さくすることができるので滑走面１０１ａ、１０１ｂの強度低下を防ぐことができる。
【００３７】
逃げ空間１６０ａ、１６０ｂは、磁気ディスク１１の外周縁１４が対向面１１３ａ、１１３ｂに接触しないで変位することを許容する空間であり、実施例として説明した窪みや溝など以外の他の方法で構成することができる。図７に示したランプは、傾斜面１６５ａ、１６５ｂで逃げ空間を構成した点以外は、図４のランプ１００と同じである。図７の実施例では、フロント・エッジ１１５ａ、１１５ｂ側に平坦な対向面１１３ａ、１１３ｂが形成され、それらに隣接しディスク空間１２１が広がるような傾斜面１６５ａ、１６５ｂを側壁面１５１に向かって設けて逃げ空間１６０ａ、１６０ｂを構成している。
【００３８】
図８は、ＨＧＡ１９のリフト・タブ２３とヘッド／スライダ１８の対が、滑走面１０１ａ、１０１ｂをスライドしてロード／アンロードをするときのそれらの対の位置を３個所に示している。磁気ディスク１１の記録面１２ａ、１２ｂは、最内周トラックから最外周トラックまでの記録領域Ｃと、リフト・タブ２３が滑走面１０１ａ、１０１ｂのフロント・エッジ１１５ａ、１１５ｂに接触したときのヘッド／スライダの垂直投影が形成される領域に対応するロード／アンロード領域Ｄと非記録領域Ｅとで構成される。ロード／アンロード領域Ｄは、ヘッド／スライダがロードするときに磁気ディスク表面に接触する可能性が高いので、記録領域としては使用しない。
【００３９】
アンロードするときは、ヘッド／スライダ１８は記録領域Ｃからロード／アンロード領域Ｄまでは、記録面１２ａ、１２ｂに生じた空気流から浮力を受けて所定のフライング・ハイトで浮上している。リフト・タブ２３が滑走面１０１ａ、１０１ｂにフロント・エッジ１１５ａ、１１５ｂと接触した位置で乗り上げると、ヘッド／スライダ１８はフレキシャのスプリング機構を通じてリフト・タブ２３からつり下げられた状態になる。したがって、非記録領域Ｅではヘッド／スライダ２３は記録面１２ａ、１２ｂから浮力を受けて浮上する必要がない。ただし、ロードするときは、滑走面１０１ａ、１０１ｂをリフト・タブ２３が降りてくる間に、ヘッド／スライダ１８が記録面１２ａ、１２ｂから徐々に浮力を受けて、円滑にフロント・エッジ１１５ａ、１１５ｂから離脱して記録面１２ａ、１２ｂから浮力を受けてロード／アンロード領域Ｄに浮上できるようにするために非記録領域Ｅは必要である。
【００４０】
図９は、このような非記録領域Ｅの特質に着目して、磁気ディスク１１の外周縁１４と対向面１１３ａ、１１３ｂとの接触を防止する他の実施例を説明する図である。退避部１３０の構成は図４の構成に対して対向面１１３ａ、１１３ｂに逃げ空間１６１ａ、１６１ｂが形成されていない点を除いて同じである。磁気ディスク１１は、ロード／アンロード領域Ｄと非記録領域Ｅの境界２２ａ、２２ｂから外周側面１３に向かって厚さが薄くなるように傾斜している傾斜面１６７ａ、１６７ｂを備えている。したがって、外周側面１３が対向面１１３ａまたは１１３ｂに向かって変位したときに、対向面１１３ａ、１１３ｂは平坦であっても外周縁１４は対向面１１３ａ、１１３ｂに接触しないようになっている。なお、傾斜面１６７ａ、１６７ｂは、ディスク空間１２１の中だけに存在し、かつ、ロード／アンロード領域Ｄの一部はディスク空間１２１の中に存在している。
【００４１】
磁気ディスク１１の変位が大きい場合は、ロード／アンロード領域Ｄと傾斜面１６７ａ、１６７ｂの境界２２ａ、２２ｂが対向面１１３ａ、１１３ｂに接触し、外周縁１４は対向面１１３ａ、１１３ｂに接触しない。境界２２ａ、２２ｂは、図５（Ｂ）で説明した外周縁１４とは異なる。図５（Ｂ）のチャンファ１６は角に応力が集中したり、角が物に接触して破損したりするのを防ぐ目的で形成されるので、外周縁１４は平坦なチャンファ１６が記録面１２ａ、１２ｂと隣接して鋭い角度を形成する。一方、図９の境界２２ａ、２２ｂは、傾斜面１６７ａ、１６７ｂがディスク空間１２１の中で許容される範囲で長くなっているため、チャンファ１６とは異なって角度が鋭くないので対向面１１３ａ、１１３ｂに接触しても対向面に対する切削力は弱い。このような断面形状の磁気ディスク１１は、図４、図５にあるような逃げ空間１６０ａ、１６０ｂを備えるランプ１００と組み合わせてロード／アンロード機構を構成することもできる。
【００４２】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【図面の簡単な説明】
【００４３】
【図１】本実施の形態にかかる磁気ディスク装置の平面図である。
【図２】ランプの斜視図である。
【図３】ランプの側面図および先端部の斜視図である。
【図４】逃げ空間を形成したランプと磁気ディスクの部分的な側面図及び平面図である。
【図５】磁気ディスクの外周側面と外周縁の関係を説明する図である。
【図６】逃げ空間を形成した他の実施例にかかるランプと磁気ディスクの部分的な側面図と平面図である。
【図７】逃げ空間を構成する他の実施例にかかるランプの部分的な側面図である。
【図８】ヘッド／スライダがロード／アンロードするときの状態を説明する図である。
【図９】磁気ディスクの外周側面近辺に傾斜面を形成した状態を説明する側面図である。
【符号の説明】
【００４４】
１１  磁気ディスク
１２ａ、１２ｂ  記録面
１３  外周側面
１４  外周縁
１５  スピンドル軸
１６  チャンファ
１７  ヘッド支持機構
１８  ヘッド／スライダ
１９  ヘッド・ジンバル・アセンブリ（ＨＧＡ）
２１  アクチュエータ・アセンブリ
２３  リフト・タブ
２５  ピボット軸
２７  ベース
２９  ボイス・コイル・マグネット
１０１ａ、１０１ｂ、１０３ａ、１０３ｂ、１０５ａ、１０５ｂ、１０７ａ、１０７ｂ、１０９ａ、１０９ｂ、１１１ａ、１１１ｂ  滑走面
１１３ａ、１１３ｂ  対向面
１１５ａ、１１５ｂ  フロント・エッジ
１２１  ディスク空間
１５０  支持部
１５１  側壁面
１６０ａ、１６０ｂ  逃げ空間
１６１ａ、１６１ｂ  窪み
１６３ａ、１６３ｂ  溝
１６５ａ、１６５ｂ  傾斜面
【図１】
2006323939.tif 000003
【図２】
2006323939.tif 000004
【図３】
2006323939.tif 000005
【図４】
2006323939.tif 000006
【図５】
2006323939.tif 000007
【図６】
2006323939.tif 000008
【図７】
2006323939.tif 000009
【図８】
2006323939.tif 000010
【図９】
2006323939.tif 000011